(57)【要約】【課題】利用者が円滑かつ迅速に認証を行うことができる。【解決手段】噴射部１ｂは、測距部１ａにより計測された認証対象部Ｓの距離Ｌが撮像可能範囲Ｒ内に該当している場合に、認証装置１にかざされた認証対象部Ｓに圧縮空気Ａを噴射する。これにより、利用者は、認証装置１に対して認証対象部Ｓを画像が撮像可能な高さにいることを直感的に認知して、認証対象部Ｓをその高さで維持しようとすることが期待される。これにより、撮像部１ｃは、認証対象部Ｓの画像を適切に撮像することができる。認証装置１は、このようにして撮像した画像に含まれる生体情報に基づき利用者の認証を行うことができる。【選択図】図１
2018136897.tif 000002
【特許請求の範囲】
【請求項１】
利用者の生体情報を含む認証対象部までの距離を計測する測距部と、
前記距離が撮像可能距離に該当すると前記認証対象部に第１圧縮空気を噴射する噴射部と、
前記第１圧縮空気の噴射後に前記認証対象部の画像を撮像する撮像部と、
を有する認証装置。
【請求項２】
前記噴射部は、前記撮像部が前記画像を撮像すると、前記認証対象部に前記画像の撮像前よりも大きい第２圧縮空気を再び噴射する、
請求項１に記載の認証装置。
【請求項３】
発光する発光部をさらに有し、
前記距離が前記撮像可能距離に該当すると、前記発光部が発光して、前記噴射部は前記認証対象部に前記第１圧縮空気を噴射する、
請求項１または２に記載の認証装置。
【請求項４】
前記発光部は、前記距離が前記撮像可能距離に該当している間、発光する、
請求項３に記載の認証装置。
【請求項５】
前記撮像部が前記画像を撮像すると、前記発光部は発光を停止する、
請求項４に記載の認証装置。
【請求項６】
前記撮像可能距離にホログラムを投射するホログラム投射部を有し、
前記距離が前記撮像可能距離に該当すると、前記ホログラムが消され、前記噴射部は前記認証対象部に前記第１圧縮空気を噴射する、
請求項１または２に記載の認証装置。
【請求項７】
前記認証対象部が所定回数以上の認証がされている場合、
前記噴射部は、前記距離が前記撮像可能距離に該当しても、前記認証対象部に前記第１圧縮空気を噴射しない、
請求項１に記載の認証装置。
【請求項８】
利用者の生体情報を含む認証対象部までの距離を測距部により計測し、
前記距離が撮像可能距離に該当すると前記認証対象部に噴射部により第１圧縮空気を噴射し、
前記第１圧縮空気の噴射後に前記認証対象部の画像を撮像部により撮像する、
認証方法。
【発明の詳細な説明】
【技術分野】
【０００１】
本発明は、認証装置及び認証方法に関する。
【背景技術】
【０００２】
ＡＴＭ（Automated Teller Machine）の取引開始時、パーソナルコンピュータのログイン時、建物内の入室時には、利用者の生体情報を用いた生体認証が行われている。生体認証では、利用者の指紋パターン、虹彩パターン、静脈パターン等の生体情報を予め登録しておく。読み取った利用者の生体情報と、登録されている生体情報とを照合させることで認証を行う。
【０００３】
例えば、静脈パターンを用いた生体認証装置では、センサがセンサからかざされた利用者の手のひらまでの距離を計測して、所定の距離であれば、手のひらの画像を撮像する。生体認証装置は、取得した画像の静脈パターンと予め保持している利用者の静脈パターンとを照合することにより、利用者の認証を行う（例えば、特許文献１参照）。
【先行技術文献】
【特許文献】
【０００４】
【特許文献１】特開２０１５−１２１９０４号公報
【発明の概要】
【発明が解決しようとする課題】
【０００５】
しかし、上記のような静脈パターンを用いた生体認証装置では、利用者が使い慣れていない場合には、手のひらを適切に撮像される高さにかざすことに手間がかかり、認証に時間を要する場合があった。そこで、生体認証装置に付随されているディスプレイにセンサに対して手のひらを誘導させるための案内を表示させることが行われている。しかし、この場合には、誘導の案内に応じて、手のひらを急な動作でセンサに近づけたり、または、センサから離したりして、手のひらを適切に撮像することができずに認証に時間がかかることがあった。
【０００６】
本発明は、このような点に鑑みてなされたものであり、利用者が円滑かつ迅速に認証を行うことができる認証装置及び認証方法を提供することを目的とする。
【課題を解決するための手段】
【０００７】
本発明の一観点によれば、利用者の生体情報を含む認証対象部までの距離を計測する測距部と、前記距離が撮像可能距離に該当すると前記認証対象部に第１圧縮空気を噴射する噴射部と、前記第１圧縮空気の噴射後に前記認証対象部の画像を撮像する撮像部と、を有する認証装置が提供される。
【０００８】
また、このような認証装置で実行される認証方法が提供される。
【発明の効果】
【０００９】
開示の技術によれば、利用者が円滑かつ迅速に認証を行うことができる。
【図面の簡単な説明】
【００１０】
【図１】第１の実施の形態の認証装置の一例を示す図である。
【図２】第２の実施の形態の認証装置のハードウェア構成例を示す図である。
【図３】第２の実施の形態の認証装置のセンサユニットのハードウェア構成例を示す図である。
【図４】第２の実施の形態の認証装置のセンサユニットの上面を示す外観図である。
【図５】第２の実施の形態の認証装置で実行される認証処理のフローチャートである。
【図６】第３の実施の形態の認証装置で実行される認証処理のフローチャートである。
【図７】第４の実施の形態の認証装置が保持する認証履歴情報の一例を示す図である。
【図８】第４の実施の形態の認証装置で実行される認証処理のフローチャート（その１）である。
【図９】第４の実施の形態の認証装置で実行される認証処理のフローチャート（その２）である。
【図１０】第５の実施の形態の認証装置のセンサユニットのハードウェア構成例を示す図である。
【図１１】第５の実施の形態の認証装置で実行される認証処理のフローチャートである。
【図１２】第５の実施の形態の認証装置による認証を説明するための模式図である。
【発明を実施するための形態】
【００１１】
以下、図面を参照して、実施の形態について説明する。
［第１の実施の形態］
第１の実施の形態の認証装置について、図１を用いて説明する。
【００１２】
図１は、第１の実施の形態の認証装置の一例を示す図である。
なお、図１（Ａ）は、認証装置１が備える機能を表している。図１（Ｂ），（Ｃ）は、手のひらの認証方法を説明するための図である。
【００１３】
認証装置１は、図１（Ａ）に示されるように、測距部１ａと、噴射部１ｂと、撮像部１ｃとを有している。
測距部１ａは、利用者の生体情報を含む認証対象部Ｓまでの距離Ｌを計測する。利用者の認証対象部Ｓは、生体情報を含む利用者の生体の一部であって、例えば、手のひら、指等がある。測距部１ａは、認証装置１から認証対象部Ｓまでの距離Ｌを計測する。
【００１４】
噴射部１ｂは、距離Ｌが撮像可能範囲Ｒ（あるいは、撮像可能距離）に該当すると認証対象部Ｓに圧縮空気Ａ（第１圧縮空気）を例えば０．５秒から１秒の間で勢いよく噴射する。
【００１５】
撮像部１ｃは、圧縮空気Ａの噴射後に認証対象部Ｓの画像を撮像する。
このような構成を有する認証装置１により実行される認証方法について、図１（Ｂ），（Ｃ）を用いて説明する。
【００１６】
まず、利用者は、認証装置１に対して、認証対象部Ｓ（例えば、手のひら）を近づける（図１（Ｂ））。
この際、認証装置１の測距部１ａは、測距部１ａから認証対象部Ｓまでの距離Ｌを計測している。
【００１７】
利用者が認証装置１に対して認証対象部Ｓを近づけて、測距部１ａが計測する距離Ｌが撮像可能範囲Ｒ内に該当する。すると、噴射部１ｂは、図１（Ｃ）に示されるように、圧縮空気Ａを認証対象部Ｓに噴射する。
【００１８】
すると、利用者は、認証対象部Ｓが撮像されるのに適切な高さであることを直感的に認知して、その高さ（位置）で認証対象部Ｓを止めるようになることが期待される。
このように圧縮空気Ａが噴射されると、認証対象部Ｓは撮像可能範囲Ｒ内に留まるようになるために、撮像部１ｃは、認証対象部Ｓの画像を適切に撮像することができる。
【００１９】
上記認証装置１では、噴射部１ｂは、測距部１ａにより計測された認証対象部Ｓの距離Ｌが撮像可能範囲Ｒ内に該当している場合に、認証装置１にかざされた認証対象部Ｓに圧縮空気Ａを噴射する。これにより、利用者は、認証装置１に対して認証対象部Ｓを画像が撮像可能な高さにいることを直感的に認知して、認証対象部Ｓをその高さで維持しようとすることが期待される。これにより、撮像部１ｃは、認証対象部Ｓの画像を適切に撮像することができる。認証装置１は、このようにして撮像した画像に含まれる生体情報に基づき利用者の認証を行うことができる。したがって、認証装置１は、利用者に認証対象部Ｓが撮像可能な高さにあることを迅速に認知させることで認証対象部Ｓの画像を適切に撮像でき、認証を円滑かつ迅速に行うことができるようになる。
【００２０】
［第２の実施の形態］
第２の実施の形態では、第１の実施の形態の認証装置をより具体的に説明する。
まず、第２の実施の形態の認証装置について、図２を用いて説明する。
【００２１】
図２は、第２の実施の形態の認証装置のハードウェア構成例を示す図である。
認証装置１０は、制御ユニット１１と、ディスプレイ１２と、入力ユニット１３と、センサユニット１４と、を有している。
【００２２】
制御ユニット１１は、１または２以上のＣＰＵ（Central Processing Unit）１１ａによって装置全体を制御している。ＣＰＵ１１ａには、バス１１ｇを介してＲＡＭ（Random Access Memory）１１ｂと、ＨＤＤ（Hard Disk Drive）１１ｃと、グラフィック処理部１１ｄと、入出力インタフェース１１ｅと、通信制御部１１ｆとが接続されている。
【００２３】
ＲＡＭ１１ｂには、ＣＰＵ１１ａに実行させるＯＳ（Operating System）のプログラムやアプリケーションプログラムの少なくとも一部が一時的に格納される。また、ＲＡＭ１１ｂには、ＣＰＵ１１ａによる処理に必要な各種データが格納される。
【００２４】
ＨＤＤ１１ｃには、ＯＳやアプリケーションプログラムが格納される。
グラフィック処理部１１ｄには、ディスプレイ１２が接続されている。グラフィック処理部１１ｄは、ＣＰＵ１１ａからの命令にしたがって、画像をディスプレイ１２の画面に表示させる。
【００２５】
入出力インタフェース１１ｅには、入力ユニット１３と、センサユニット１４とが接続されている。また、入出力インタフェース１１ｅは、可搬型記録媒体１５への情報の書込み、及び可搬型記録媒体１５からの情報の読出しが可能な可搬型記録媒体インタフェースと接続可能になっている。入出力インタフェース１１ｅは、入力ユニット１３と、センサユニット１４と、可搬型記録媒体インタフェースとから送られてくる信号を、バス１１ｇを介してＣＰＵ１１ａに送信する。
【００２６】
より具体的には、入出力インタフェース１１ｅは、センサユニット１４とＵＳＢ（Universal Serial Bus）で接続してもよい。制御ユニット１１は、ＵＳＢ接続によりセンサユニット１４から静脈画像を受信する。
【００２７】
通信制御部１１ｆは、ネットワーク（図示を省略）に接続されている。通信制御部１１ｆは、例えば、認証サーバとの間でデータの送受信をおこなう。
また、入力ユニット１３は、認証装置１０に対して入力を行うことができる装置であり、例えば、キーボード、マウス、または、ディスプレイ１２に対応するタッチパネル等である。
【００２８】
センサユニット１４は、利用者から手のひらがかざされて、当該手のひらまでの距離を計測し、計測した距離が所定の距離範囲内に該当すると手のひらの画像を撮像する。センサユニット１４は、例えば、ＡＴＭ、部屋や会場の出入り口のゲート等の認証を要する場所に設置される。または、センサユニット１４は、ログイン用にパーソナルコンピュータに接続され、または、パーソナルコンピュータに接続されているマウスに内蔵される。
【００２９】
認証装置１０は、以上のようなハードウェア構成によって、実施の形態の処理機能を実現することができる。
なお、制御ユニット１１は、それぞれＦＰＧＡ（Field Programmable Gate Array）やＤＳＰ（Digital Signal Processer）等からなるモジュールを含んで構成することもでき、ＣＰＵ１１ａを有しない構成とすることもできる。その場合、制御ユニット１１は、それぞれ不揮発性メモリ（例えば、ＥＥＰＲＯＭ（Electrically Erasable and Programmable Read Only Memory）、フラッシュメモリ、フラッシュメモリ型メモリカード等）を備え、モジュールのファームウェアを記憶する。不揮発性メモリは、可搬型記録媒体１５、あるいは通信制御部１１ｆを介してファームウェアを書き込むことができる。このように制御ユニット１１は、不揮発性メモリに記憶されているファームウェアを書き換えることにより、ファームウェアの更新をすることもできる。
【００３０】
次に、センサユニット１４のハードウェア構成例について、図３を用いて説明する。
図３は、第２の実施の形態の認証装置のセンサユニットのハードウェア構成例を示す図である。
【００３１】
センサユニット１４は、画像情報と距離情報を取得して、制御ユニット１１への出力を実現する。このようなセンサユニット１４は、図３に示されるように、制御部１４ａと、撮像部１４ｂと、測距部１４ｃと、記憶部１４ｄと、発光部１４ｅと、噴射部１４ｆと、通信部１４ｇとを有している。
【００３２】
制御部１４ａは、各処理部を統括的に制御する。また、制御部１４ａは、認証装置１０の制御ユニット１１からの指示に基づき、各処理部に対して所定の制御を行う。
撮像部１４ｂは、被写体となる生体（利用者）から画像情報を取得（画像を撮像）する。撮像部１４ｂは、生体を撮像するイメージセンサ（例えば、ＣＭＯＳ（Complementary Metal Oxide Semiconductor）センサ、ＣＣＤ（Charge Coupled Device）センサ等）と、集光レンズと、被写体に照射する複数の近赤外線発光素子（ＬＥＤ：Light Emitting Diode）とを備える。近赤外線発光素子は、例えば、イメージセンサの周囲に設けられ、近赤外線を被写体方向（上方）に向けて発光し、イメージセンサが近赤外線を照射された被写体を撮像する。イメージセンサは、集光レンズ（広角レンズ）を通して、被写体となる手のひらを広範囲で撮像可能範囲に捉えることができる。なお、撮像部１４ｂは、所定タイミングで連続撮像（例えば、１秒間に１５コマを撮像）し、このうちから１つ、または複数の静脈画像を利用者が照合の不確実性を有するか否かの判定に用いるようにしてもよい。
【００３３】
測距部１４ｃは、被写体となる生体との距離情報を取得する。センサユニット１４は、測距センサにより撮像タイミングを計って所定範囲の距離にある手のひらを撮像することができる。
【００３４】
記憶部１４ｄは、撮像部１４ｂが取得した画像情報、測距部１４ｃが取得した距離情報を画像情報に対応付けて記憶する。
発光部１４ｅは、後述するようにセンサユニット１４の手のひらＨがかざされる面上に設けられている。このような発光部１４ｅは、例えば、ＬＥＤ（Light Emitting Diode）であって、制御部１４ａの制御に応じて、測距部１４ｃが計測した手のひらＨまでの距離に基づき、発光（点灯並びに点滅）する。
【００３５】
噴射部１４ｆは、制御部１４ａからの指示に応じて測距部１４ｃが計測した手のひらＨの距離が所定の範囲に該当すると、圧縮空気（エアー）を例えば０．５秒から１秒間に勢いよく噴射する。噴射部１４ｆは、さらに、圧縮空気の圧力を変化させて噴射することができる。このような噴射部１４ｆは、後述するように手のひらＨがかざされるセンサユニット１４の面上に後述するノズルが設けられている。噴射部１４ｆは、当該ノズルから圧縮空気を噴射する。
【００３６】
通信部１４ｇは、認証装置１０の制御ユニット１１と接続し、制御ユニット１１からの指示の受信、画像情報、距離情報の送信を制御ユニット１１に行う。
このような構成を有するセンサユニット１４が撮像する画像は、被写体となる認証対象部（手のひら）に近赤外線を照射し、反射光を撮像して得られた画像である。静脈に流れる赤血球の中のヘモグロビンは、酸素を失っていることから、このヘモグロビン（還元ヘモグロビン）は、７００ナノメートル〜１０００ナノメートル付近の近赤外線を吸収する性質がある。そのため、手のひらに近赤外線を当てると、静脈がある部分だけ反射が少なく、静脈の位置は、近赤外線の反射光の強弱により認識可能となる。静脈画像は、特定の光源を用いることにより特徴的な情報の抽出が容易になるが、無彩色の画像となる。
【００３７】
次に、このようなセンサユニットの手のひらがかざされる上面の外観について図４を用いて説明する。
図４は、第２の実施の形態の認証装置のセンサユニットの上面を示す外観図である。
【００３８】
センサユニット１４は、図４に示されるように、筐体１４ｈの手のひらＨがかざされる上面１４ｈ１に発光部１４ｅと、センサ部１４ｉと、ノズル１４ｆ１とを備えている。
発光部１４ｅは、上面１４ｈ１上において、上面１４ｈ１に手のひらＨをかざされた時に、その発光が利用者から視認できる位置に配置されている。例えば、図４では、発光部１４ｅは、上面１４ｈ１の前方（図中上側）に配置されている。この場合であれば、図４のように手のひらＨがかざされても発光部１４ｅの発光を視認することができる。なお、発光部１４ｅの位置は、これに限らず、センサ部１４ｉの周囲やセンサ部１４ｉ内であってもよい。
【００３９】
センサ部１４ｉは、センサユニット１４の撮像部１４ｂ及び測距部１４ｃを含んでいる。このようなセンサ部１４ｉは、上面１４ｈ１の略中央部に設けられており、上面１４ｈ１をかざす手のひらＨの画像を取得し、また、上面１４ｈ１から手のひらＨまでの距離を計測する。
【００４０】
ノズル１４ｆ１は、噴射部１４ｆに接続されており、噴射部１４ｆで噴射される圧縮空気が勢いよく出射される。このようなノズル１４ｆ１は、上面１４ｈ１上の、上面１４ｈ１をかざす手のひらＨに対応する位置に配置されている。図４の場合では、ノズル１４ｆ１は、上面１４ｈ１の後方（図中下側）に設けられて、手のひらの下側（手首側）に勢いよく圧縮空気を出射する。
【００４１】
次に、このような構成を有する認証装置１０で実行される認証処理について、図５を用いて説明する。
なお、第２の実施の形態の認証処理では、発光部１４ｅを利用しない場合を例に挙げている。
【００４２】
図５は、第２の実施の形態の認証装置で実行される認証処理のフローチャートである。
認証装置１０では、制御ユニット１１とセンサユニット１４とを用いて以下の処理を実行する。
【００４３】
［ステップＳ１］  測距部１４ｃがセンサユニット１４の上面１４ｈ１からその上方への手のひらＨに対する距離の計測を行う。
［ステップＳ２］  測距部１４ｃは、センサユニット１４の上面１４ｈ１から手のひらＨまでの距離が撮像可能範囲内に該当するか否かを判定する。
【００４４】
次の処理は、手のひらＨまでの距離が撮像可能範囲内に該当すると（ステップＳ２のＹＥＳの場合）、ステップＳ３に進められる。
測距部１４ｃは、手のひらＨまでの距離が撮像可能範囲内に該当するまでセンサユニット１４の上面１４ｈ１からの距離の測定を行う（ステップＳ２のＮＯ）。
【００４５】
［ステップＳ３］  噴射部１４ｆは、ノズル１４ｆ１から手のひらＨに向けて圧縮空気（第１圧縮空気）を噴射する。
なお、撮像可能範囲内に該当する手のひらＨに圧縮空気が噴射された利用者は、直感的に手のひらＨの動きを止めてしまう。このようにして、利用者に手のひらＨを撮像可能範囲内に維持させることが期待される。
【００４６】
［ステップＳ４］  撮像部１４ｂは、手のひらＨの画像を撮像する。
［ステップＳ５］  制御部１４ａは、ステップＳ４で手のひらＨの画像が認証に利用できるように適切に撮像されたか否かを判定する。
【００４７】
次の処理は、手のひらＨの画像が適切に撮像されている場合（ステップＳ５のＹＥＳの場合）には、ステップＳ６に進められ、適切に撮像されていない場合（ステップＳ５のＮＯの場合）には、ステップＳ１に再び進められる。
【００４８】
［ステップＳ６］  噴射部１４ｆは、ノズル１４ｆ１から手のひらＨに向けて、ステップＳ３よりも大きい圧力の圧縮空気（第２圧縮空気）を噴射する。
なお、手のひらＨにステップＳ３よりも大きい圧力の圧縮空気を噴射することで、利用者は、手のひらＨをセンサユニット１４から？がされるような印象を受ける。このため、利用者は手のひらＨをセンサユニット１４から離すことが期待される。
【００４９】
［ステップＳ７］  制御ユニット１１は、ステップＳ４で撮像した手のひらＨの画像を用いて認証処理を行う。
認証処理の結果に基づき、ＡＴＭなら取引処理を開始し、パーソナルコンピュータならログインを実行し、部屋や会場等の出入り口ならゲートを開ける等の処理が実行される。
【００５０】
以上により、認証装置１０で実行される認証処理が終了する。
上記認証装置１０では、噴射部１４ｆは、測距部１４ｃにより計測された手のひらＨの距離が撮像可能範囲内に該当している場合に、認証装置１０にかざされた手のひらＨに圧縮空気を噴射する。このため、利用者は、認証装置１０に対して手のひらＨを画像が撮像可能な高さにいることを直感的に認知して、手のひらＨをその高さで維持しようとすることが期待される。これにより、撮像部１４ｂは、手のひらＨの画像を適切に撮像することができる。認証装置１０は、このようにして撮像した画像に含まれる生体情報に基づき利用者の認証を行うことができる。したがって、認証装置１０は、使い慣れていない利用者に手のひらＨが撮像可能な高さにあることを迅速に認知させることで手のひらＨの画像を適切に撮像でき、認証を円滑かつ迅速に行うことができるようになる。
【００５１】
また、上記認証装置１０は、手のひらＨの画像を適切に撮像すると、手のひらＨに対してより大きな圧力の圧縮空気を噴射する。これにより、利用者は、直感的に手のひらＨを認証装置１０から剥がされるような印象を受けて、手のひらＨを認証装置１０から離すことが期待される。このため、利用者が、手のひらＨの撮像の終了後でも、いつまでも認証装置１０に手のひらＨをかざすことが防止されて、利用者一人に要する認証時間を短縮することができる。
【００５２】
［第３の実施の形態］
第３の実施の形態では、第２の実施の形態において、センサユニットにおいて手のひらが撮像可能範囲内に該当する場合に圧縮空気を噴射させると共に発光部を発光させて、利用者に手のひらが適切な位置に存在していることを確実に認知させる場合について説明する。
【００５３】
なお、第３の実施の形態では、第２の実施の形態の認証装置１０（図２及び図３）と同様のものが利用される。
このような認証装置１０で実行される認証処理について、図６を用いて説明する。
【００５４】
図６は、第３の実施の形態の認証装置で実行される認証処理のフローチャートである。
認証装置１０では、制御ユニット１１とセンサユニット１４とを用いて以下の処理を実行する。
【００５５】
［ステップＳ１０］  測距部１４ｃがセンサユニット１４の上面１４ｈ１からその上方にある手のひらＨまでの距離の計測を行う。
［ステップＳ１１］  測距部１４ｃは、センサユニット１４の上面１４ｈ１から手のひらＨまでの距離が撮像可能範囲内に該当するか否かを判定する。
【００５６】
次の処理は、手のひらＨまでの距離が撮像可能範囲内に該当すると（ステップＳ１１のＹＥＳの場合）、ステップＳ１２に進められる。
測距部１４ｃは、手のひらＨまでの距離が撮像可能範囲内に該当するまでセンサユニット１４の上面１４ｈ１からの距離の測定を行う（ステップＳ１１のＮＯ）。
【００５７】
［ステップＳ１２］  発光部１４ｅは、（例えば、緑色の）点滅を開始する。
なお、利用者は、手のひらＨが所定の高さ（撮像可能範囲内）になったところで発光部１４ｅが点滅すると、直感的に手のひらＨを撮像可能範囲内で停止してしまう。このようにして、利用者に手のひらＨを撮像可能範囲内に維持させることが期待される。
【００５８】
［ステップＳ１３］  噴射部１４ｆは、ノズル１４ｆ１から手のひらＨに向けて圧縮空気（第１圧縮空気）を噴射する。
なお、ステップＳ１２に加えて、手のひらＨに圧縮空気が噴射されることで、利用者に手のひらＨを撮像可能範囲内に維持させることがより期待される。
【００５９】
［ステップＳ１４］  撮像部１４ｂは、手のひらＨの画像を撮像する。
［ステップＳ１５］  制御部１４ａは、ステップＳ１４で手のひらＨの画像が認証に利用できるように適切に撮像されたか否かを判定する。
【００６０】
次の処理は、手のひらＨの画像が適切に撮像されている場合（ステップＳ１５のＹＥＳの場合）には、ステップＳ１６に進められ、適切に撮像されていない場合（ステップＳ１５のＮＯの場合）には、ステップＳ１０に再び進められる。
【００６１】
［ステップＳ１６］  噴射部１４ｆは、ノズル１４ｆ１から手のひらＨに向けて、ステップＳ１３よりも大きい圧力の圧縮空気（第２圧縮空気）を噴射する。
なお、手のひらＨにステップＳ１３よりも大きい圧力の圧縮空気を噴射することで、第２の実施の形態と同様に、利用者は、手のひらＨをセンサユニット１４から？がされるような印象を受ける。このため、利用者が手のひらをセンサユニット１４から離すことが期待される。
【００６２】
［ステップＳ１７］  撮像が完了すると、発光部１４ｅは、消灯する。
［ステップＳ１８］  制御ユニット１１は、ステップＳ１４で撮像した手のひらＨの画像を用いて認証処理を行う。
【００６３】
認証処理の結果に基づき、ＡＴＭなら取引処理を開始し、パーソナルコンピュータならログインを実行し、部屋や会場等の出入り口ならゲートを開ける等の処理が実行される。
以上により、認証装置１０で実行される認証処理が終了する。
【００６４】
上記認証装置１０では、測距部１４ｃにより計測されたセンサユニット１４の上面１４ｈ１から手のひらＨまでの距離が撮像可能領域内に該当すると、発光部１４ｅが発光すると共に、噴射部１４ｆは認証装置１０にかざされた手のひらＨに圧縮空気を噴射する。このため、利用者は、認証装置１０に対して手のひらＨを画像が撮像可能な高さにいることを直感的に認知して、手のひらＨをその高さで維持しようとすることが期待される。これにより、撮像部１４ｂは、手のひらＨの画像を適切に撮像することができる。認証装置１０は、このようにして撮像した画像に含まれる生体情報に基づき利用者の認証を行うことができる。したがって、認証装置１０は、使い慣れていない利用者に手のひらＨが撮像可能な高さにあることを迅速に認知させることで手のひらＨの画像を適切に撮像でき、認証を円滑かつ迅速に行うことができるようになる。
【００６５】
また、上記認証装置１０は、手のひらＨの画像を適切に撮像すると、手のひらＨに対してより大きな圧力の圧縮空気を噴射し、また、発光部１４ｅの発光が消灯する。これにより、利用者は、直感的に手のひらＨを認証装置１０から剥がされるような印象を受けると共に、認証装置１０により何かしらの処理が終了した印象を受けて、手のひらＨを認証装置１０から離すことが期待される。このため、利用者は、手のひらＨの撮像の終了後でも、いつまでも認証装置１０に手のひらＨをかざすことが防止されて、利用者一人に要する認証時間を短縮することができる。
【００６６】
なお、図６のフローチャートのステップＳ１２では、発光部１４ｅの発光の仕方として点滅した場合を例に挙げて説明した。この他、例えば、発光部１４ｅは、ステップＳ１０、ステップＳ１１の時でも所定の間隔で点滅する。そして、発光部１４ｅは、測距部１４ｃが計測するセンサユニット１４の上面１４ｈ１と手のひらＨまでの距離が、撮像可能範囲に近づくにつれて、点滅の間隔を早く（または遅く）し、撮像可能範囲に該当すると最も早く（または遅く）なった間隔で点滅する。これにより、利用者は直感的に手のひらＨが所定の高さに近づいている、または、遠ざかっていることが分かるようになる。
【００６７】
［第４の実施の形態］
第４の実施の形態では、第２の実施の形態において、認証装置を使い慣れている利用者に対しては圧縮空気の噴射を行わない場合について例を挙げて説明する。
【００６８】
なお、第４の実施の形態では、第２の実施の形態の認証装置１０（図２及び図３）と同様のものが利用される。
第４の実施の形態の認証装置１０が予め保持する認証履歴情報について、図７を用いて説明する。
【００６９】
図７は、第４の実施の形態の認証装置が保持する認証履歴情報の一例を示す図である。
認証装置１０が予め保持する認証履歴情報は、識別情報に対して、生体認証情報と認証回数と認証履歴とが付随されている。
【００７０】
識別情報は、利用者を識別する情報であって、例えば、識別番号、ＱＲ（Quick Response）コード（登録商標）、バーコード等である。なお、第４の実施の形態では、識別番号の場合を例に挙げている。
【００７１】
生体情報は、利用者の生体情報のテンプレートである。第４の実施の形態の場合には、利用者の手のひらの静脈パターンのテンプレートである。
認証回数は、対象の認証装置１０で利用者が過去に認証を行った回数である。図７の場合には、過去３回認証を行ったことを表している。
【００７２】
認証履歴は、対象の認証装置１０で利用者が過去に認証を行った履歴であって、認証回数の内訳である。図７の場合には、利用者は、「２０１７年１月１５日  １４時０５分４４秒」、「２０１７年１月２０日  ０９時３５分２９秒」、「２０１７年１月２１日  １０時１９分１４秒」にそれぞれ認証を行ったことを表している。
【００７３】
第４の実施の形態の認証装置１０では、利用者から受け付けた識別情報の照合の後に、生体認証を取得して認証を行う。この際、認証装置１０は、識別情報ごとに認証を行った認証時間と、認証回数とをＨＤＤ１１ｃに保持する。
【００７４】
次に、このような認証履歴情報を保持する認証装置１０で実行される認証処理について、図８及び図９を用いて説明する。
図８及び図９は、第４の実施の形態の認証装置で実行される認証処理のフローチャートである。
【００７５】
第４の実施の形態の認証装置１０では、制御ユニット１１及びセンサユニット１４と共に、キーボード等の入力ユニット１３も利用される。
［ステップＳ２０］  制御ユニット１１は、入力ユニット１３に対する識別情報（識別番号）の入力を受け付ける。
【００７６】
［ステップＳ２１］  制御ユニット１１は、ステップＳ２０で受け付けた識別情報を含む認証履歴情報を保持しているか否かを判定する。
次の処理は、ステップＳ２０で受け付けた識別情報を含む認証履歴情報を保持している場合（ステップＳ２１のＹＥＳの場合）には、ステップＳ２２に進められ、ステップＳ２０で受け付けた識別情報を含む認証履歴情報を保持していない場合（ステップＳ２１のＮＯの場合）には、再び、ステップＳ２０に進められる。
【００７７】
［ステップＳ２２］  制御ユニット１１は、ステップＳ２１で特定された認証履歴情報において認証回数が所定回数以上であるか否かを判定する。
次の処理は、認証回数が所定回数以上である場合（ステップＳ２２のＹＥＳの場合）には、ステップＳ２３に進められ、認証回数が所定回数未満である場合（ステップＳ２２のＮＯの場合）には、ステップＳ２４に進められる。
【００７８】
例えば、第４の実施の形態では、認証回数が５回以上か否かが判定される。図７の認証履歴情報の場合には、認証回数が３回であり、５回未満であるために、ステップＳ２４に進められる。
【００７９】
なお、認証回数の所定回数は、利用者が認証装置１０を使い慣れたと思われる回数を適宜設定することができる。第４の実施の形態では、認証装置の所定回数を５回に設定しているに過ぎない。
【００８０】
［ステップＳ２３］  制御ユニット１１は、噴射フラグをオフにする。
［ステップＳ２４］  制御ユニット１１は、噴射フラグをオンにする。
［ステップＳ２５］  測距部１４ｃがセンサユニット１４の上面１４ｈ１からその上方への手のひらＨに対する距離の計測を行う。
【００８１】
［ステップＳ２６］  測距部１４ｃは、センサユニット１４の上面１４ｈ１から手のひらＨまでの距離が撮像可能範囲内に該当するか否かを判定する。
次の処理は、手のひらＨまでの距離が撮像可能範囲内に該当すると（ステップＳ２６のＹＥＳの場合）、ステップＳ２７に進められる。
【００８２】
測距部１４ｃは、手のひらＨまでの距離が撮像可能範囲内に該当するまでセンサユニット１４の上面１４ｈ１からの距離の測定を行う（ステップＳ２６のＮＯ）。
［ステップＳ２７］  制御ユニット１１は、噴射フラグを確認する。
【００８３】
次の処理は、噴射フラグがオンである場合（ステップＳ２７のＹＥＳの場合）には、ステップＳ２８に進められ、噴射フラグがオフである場合（ステップＳ２７のＮＯの場合）には、ステップＳ２９に進められる。
【００８４】
［ステップＳ２８］  噴射部１４ｆは、ノズル１４ｆ１から手のひらＨに向けて圧縮空気（第１圧縮空気）を噴射する。
なお、手のひらＨに圧縮空気が噴射された利用者は、直感的に手のひらＨを撮像可能範囲内で停止してしまう。このようにして、利用者に手のひらＨを撮像可能範囲内に維持させることが期待される。
【００８５】
［ステップＳ２９］  撮像部１４ｂは、手のひらＨの画像を撮像する。
［ステップＳ３０］  制御部１４ａは、ステップＳ２９で手のひらＨの画像が認証に利用できるように適切に撮像されたか否かを判定する。
【００８６】
次の処理は、手のひらＨの画像が適切に撮像されている場合（ステップＳ３０のＹＥＳの場合）には、ステップＳ３１に進められ、適切に撮像されていない場合（ステップＳ３０のＮＯの場合）には、ステップＳ２５に再び進められる。
【００８７】
［ステップＳ３１］  制御ユニット１１は、噴射フラグを確認する。
次の処理は、噴射フラグがオンである場合（ステップＳ３１のＹＥＳの場合）には、ステップＳ３２に進められ、噴射フラグがオフである場合（ステップＳ３１のＮＯの場合）には、ステップＳ３３に進められる。
【００８８】
［ステップＳ３２］  噴射部１４ｆは、ノズル１４ｆ１から手のひらＨに向けて、ステップＳ２８よりも大きい圧力の圧縮空気（第２圧縮空気）を噴射する。
なお、手のひらＨにステップＳ２８よりも大きい圧力の圧縮空気を噴射することで、利用者は、手のひらＨをセンサユニット１４から？がされる印象を受ける。このため、利用者が手のひらＨをセンサユニット１４から離すことが期待される。
【００８９】
［ステップＳ３３］  制御ユニット１１は、ステップＳ２９で撮像した手のひらＨの画像を用いて認証処理を行う。
第２の実施の形態と同様に、認証処理の結果に基づき、ＡＴＭなら取引処理を開始し、パーソナルコンピュータならログインを実行し、部屋や会場等の出入り口ならゲートを開ける等の処理が実行される。
【００９０】
以上により、認証装置１０で実行される認証処理が終了する。
なお、認証装置１０は、認証処理が終了すると噴射フラグをクリアする。
上記認証装置１０では、噴射部１４ｆは、測距部１４ｃにより計測された手のひらＨの距離が撮像可能範囲内に該当している場合に、認証装置１０にかざされた手のひらＨに圧縮空気を噴射する。このため、利用者は、認証装置１０に対して手のひらＨを画像が撮像可能な高さにいることを直感的に認知して、手のひらＨをその高さで維持しようとすることが期待される。これにより、撮像部１４ｂは、手のひらＨの画像を適切に撮像することができる。認証装置１０は、このようにして撮像した画像に含まれる生体情報に基づき利用者の認証を行うことができる。したがって、認証装置１０は、使い慣れていない利用者に手のひらＨが撮像可能な高さにあることを迅速に認知させることで手のひらＨの画像を適切に撮像でき、認証を円滑かつ迅速に行うことができるようになる。
【００９１】
また、上記認証装置１０は、手のひらＨの画像を適切に撮像すると、手のひらＨに対してより大きな圧力の圧縮空気を噴射する。これにより、利用者は、直感的に手のひらＨを認証装置１０から剥がされるような印象を受けて、手のひらＨを認証装置１０から離すことが期待される。このため、利用者が、手のひらＨの撮像の終了後でも、いつまでも認証装置１０に手のひらＨをかざすことが防止されて、利用者一人に要する認証時間を短縮することができる。
【００９２】
また、利用者が認証装置１０を所定回数以上の利用経験があり使い慣れている場合には、認証装置１０の利用ごとの噴射部１４ｆによる圧縮空気の噴射が煩わしく感じてしまう。そこで、上記認証装置１０は、利用者の認証装置１０に対する過去の認証回数に応じて、噴射部１４ｆによる圧縮空気の噴射を停止するようにした。これにより、使い慣れている利用者でも円滑に認証装置１０を利用できるようになる。
【００９３】
なお、第４の実施の形態では、発光部１４ｅを利用していない。しかし、第４の実施の形態の認証処理のフローチャートにおいて、第３の実施の形態のように、ステップＳ２６において手のひらＨが撮像可能範囲に該当すると、発光部１４ｅによる点滅を開始させ、ステップＳ３０で適切に撮像すると、発光部１４ｅを消灯させるようにすることも可能である。
【００９４】
［第５の実施の形態］
第５の実施の形態では、撮像可能範囲にホログラムの像を投影して、利用者に手のひらをかざす位置を認知させる場合を例に挙げて説明する。
【００９５】
このような第５の実施の形態でも、第２の実施の形態の認証装置１０（図２及び図３）と同様のものが利用される。
但し、第５の実施の形態の認証装置１０では、センサユニット１４０を備えている。
【００９６】
第５の実施の形態の認証装置１０のセンサユニット１４０のハードウェア構成について、図１０を用いて説明する。
図１０は、第５の実施の形態の認証装置のセンサユニットのハードウェア構成例を示す図である。
【００９７】
なお、図１０のセンサユニット１４０は、図３のセンサユニット１４と同じ構成には同じ符号を付している。また、図１０のセンサユニット１４０の上面には、図４のセンサユニット１４の上面１４ｈ１と同じ構成を備えている。
【００９８】
センサユニット１４０は、制御部１４ａと、撮像部１４ｂと、測距部１４ｃと、記憶部１４ｄと、ホログラム発生部１４ｊと、噴射部１４ｆと、通信部１４ｇとを有している。
ホログラム発生部１４ｊは、制御部１４ａの指示に基づき、センサユニット１４０が手のひらＨまでの距離の計測待ちから手のひらＨが撮像可能範囲内に該当する（入る）まで、センサユニット１４０の上面１４ｈ１に対する撮像可能範囲の高さにホログラム像を投影する。ホログラム像は、例えば、手のひらの形のようなものとする。また、ホログラム発生部１４ｊは、撮像可能範囲の高さにホログラム像を投影できれば、センサユニット１４０の上面１４ｈ１のどこにでも設けることができる。なお、ホログラム発生部１４ｊは、制御部１４ａの指示に基づき、センサユニット１４０が手のひらＨまでの距離の計測待ちから手のひらＨの画像の撮像後まで、センサユニット１４０の上面１４ｈ１に対する撮像可能範囲の高さにホログラム像を投影するようにしてもよい。
【００９９】
このような構成を有するセンサユニット１４０を備える認証装置１０で実行される認証処理について、図１１及び図１２を用いて説明する。
図１１は、第５の実施の形態の認証装置で実行される認証処理のフローチャートである。
【０１００】
また、図１２は、第５の実施の形態の認証装置による認証を説明するための模式図である。
［ステップＳ４０］  制御ユニット１１は、ホログラム発生部１４ｊを動作させて、ホログラム発生部１４ｊからホログラム像を撮像可能範囲に投影させる。
【０１０１】
例えば、図１２に示されるように、センサユニット１４０は、ホログラム発生部１４ｊからホログラム像１４ｊ１を撮像可能範囲に投影させる。
このようなホログラム像１４ｊ１により、利用者にとってセンサユニット１４０に対して手のひらＨをかざす高さを適切に認識できるようになる。
【０１０２】
［ステップＳ４１］  測距部１４ｃがセンサユニット１４０の上面１４ｈ１からその上方から手のひらＨまでの距離の計測を行う。
［ステップＳ４２］  測距部１４ｃは、センサユニット１４０の上面１４ｈ１から手のひらＨまでの距離が撮像可能範囲内に該当するか否かを判定する。
【０１０３】
次の処理は、手のひらＨまでの距離が撮像可能範囲内に該当すると（ステップＳ４２のＹＥＳの場合）、ステップＳ４３に進められる。
測距部１４ｃは、手のひらＨまでの距離Ｌ２が撮像可能範囲内に該当するまでセンサユニット１４０の上面１４ｈ１からの距離の測定を行う（ステップＳ４２のＮＯ）。
【０１０４】
［ステップＳ４３］  制御ユニット１１は、ホログラム発生部１４ｊからのホログラム像の投影をオフにする。
［ステップＳ４４］  噴射部１４ｆは、ノズル１４ｆ１から手のひらＨに向けて圧縮空気（第１圧縮空気）を噴射する。
【０１０５】
なお、手のひらＨに圧縮空気が噴射された利用者は、直感的に手のひらＨを撮像可能範囲内で停止してしまう。このようにして、利用者に手のひらＨを撮像可能範囲内に維持させることが期待される。
【０１０６】
［ステップＳ４５］  撮像部１４ｂは、手のひらＨの画像を撮像する。
［ステップＳ４６］  制御部１４ａは、ステップＳ４５で手のひらＨの画像が認証に利用できるように適切に撮像されたか否かを判定する。
【０１０７】
次の処理は、手のひらＨの画像が適切に撮像されている場合（ステップＳ４６のＹＥＳの場合）には、ステップＳ４７に進められ、適切に撮像されていない場合（ステップＳ４６のＮＯの場合）には、ステップＳ４０に再び進められる。
【０１０８】
［ステップＳ４７］  噴射部１４ｆは、ノズル１４ｆ１から手のひらＨに向けて、ステップＳ４４よりも大きい圧力の圧縮空気（第２圧縮空気）を噴射する。
なお、手のひらＨにステップＳ４４よりも大きい圧力の圧縮空気を噴射することで、利用者は、手のひらＨをセンサユニット１４から？がされる印象を受ける。このため、利用者が手のひらＨをセンサユニット１４から離すことが期待される。
【０１０９】
［ステップＳ４８］  制御ユニット１１は、ステップＳ４５で撮像した手のひらＨの画像を用いて認証処理を行う。
第２の実施の形態と同様に、認証処理の結果に基づき、ＡＴＭなら取引処理を開始し、パーソナルコンピュータならログインを実行し、部屋や会場等の出入り口ならゲートを開ける等の処理が実行される。
【０１１０】
以上により、認証装置１０で実行される認証処理が終了する。
上記認証装置１０は、ホログラム発生部１４ｊがセンサユニット１４０の上面１４ｈ１に対する撮像可能範囲にホログラム像を投影する。このため、利用者はセンサユニット１４０に対して手のひらＨをかざす高さを適切に認識できるようになる。さらに、測距部１４ｃにより計測される手のひらＨまでの距離は撮像可能範囲内に該当するために、噴射部１４ｆは手のひらＨに圧縮空気を噴射する。これにより、利用者は、認証装置１０に対して手のひらＨが適切な高さにあることを間違いなく認識するようになり、手のひらＨをその高さで維持しようとすることがより期待される。これにより、撮像部１４ｂは、手のひらＨの画像を適切に撮像することができる。認証装置１０は、このようにして撮像した画像に含まれる生体情報に基づき利用者の認証を行うことができる。したがって、認証装置１０は、使い慣れていない利用者に手のひらＨが撮像可能な高さにあることを迅速に認知させることで手のひらＨの画像を適切に撮像でき、認証を円滑かつ迅速に行うことができるようになる。
【０１１１】
また、上記認証装置１０は、手のひらＨの画像を適切に撮像すると、手のひらＨに対してより大きな圧力の圧縮空気を噴射する。これにより、利用者は、直感的に手のひらＨを認証装置１０から剥がされるような印象を受けて、手のひらＨを認証装置１０から離すことが期待される。このため、利用者は、手のひらＨの撮像の終了後でも、いつまでも認証装置１０に手のひらＨをかざすことが防止されて、利用者一人に要する認証時間を短縮することができる。
【０１１２】
なお、第５の実施の形態でも、第４の実施の形態と同様に、認証装置１０を使い慣れている利用者には、圧縮空気を噴射しないようにすることも可能である。この場合、図１１のフローチャートの前に、図８のフローチャートのステップＳ２０〜Ｓ２４を実行する。そして、ステップＳ４２の後に、図９のフローチャートのステップＳ２７を実行し、ステップＳ４６の後に、図９のフローチャートのステップＳ３１を実行する。これにより、利用者は、手のひらＨの撮像の終了後でも、いつまでも認証装置１０に手のひらＨをかざすことが防止されて、利用者一人に要する認証時間を短縮することができる。
【０１１３】
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１１４】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - ROM）、ＣＤ−Ｒ（Recordable）／ＲＷ（ReWritable）等がある。光磁気記憶媒体には、ＭＯ（Magneto - Optical disk）等がある。半導体メモリには、ＵＳＢメモリ等のフラッシュメモリがある。
【０１１５】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１１６】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１１７】
また、プログラムで記述された処理の一部または全てを、電子回路に置き換えることが可能である。例えば、上記の処理機能の少なくとも一部を、ＤＳＰ、ＡＳＩＣ（Application Specific Integrated Circuit）、ＰＬＤ（Programmable Logic Device）等の電子回路で実現してもよい。
【０１１８】
なお、上述の実施の形態は、実施の形態の要旨を逸脱しない範囲内において種々の変更を加えることができる。
【符号の説明】
【０１１９】
１  認証装置
１ａ  測距部
１ｂ  噴射部
１ｃ  撮像部
Ａ  圧縮空気
Ｓ  認証対象部
Ｌ  距離
Ｒ  撮像可能範囲
【図１】
2018136897.tif 000003
【図２】
2018136897.tif 000004
【図３】
2018136897.tif 000005
【図４】
2018136897.tif 000006
【図５】
2018136897.tif 000007
【図６】
2018136897.tif 000008
【図７】
2018136897.tif 000009
【図８】
2018136897.tif 000010
【図９】
2018136897.tif 000011
【図１０】
2018136897.tif 000012
【図１１】
2018136897.tif 000013
【図１２】
2018136897.tif 000014